(57)【要約】【課題】    仕切弁と自動減圧弁を兼用することで、低コストかつコンパクトな構成にて常に適正な放水圧が得られる消火栓用弁装置を提供する。【解決手段】  流入口１１と流出口１２とを結び流路１３の途中に設けた弁口１３ｂと、流入側の水圧と流出側の水圧とに基づいて前記弁口１３ｂの開閉度を自動設定して流出側の水圧を所定水圧に自動調整する弁体１８を備えたステム２０と、前記ステム２０の一端に離接可能に当接して、ハンドル３３の回転操作により前記ステム２０を強制的に押動して前記弁体１８を前記弁口１３ｂに着座させて弁口１３ｂを閉じる締切り軸３０とを、備えたことを特徴とする。【選択図】  図２
2006095150.tif 000002
【特許請求の範囲】
【請求項１】
流入口と流出口とを結ぶ流路の途中に設けた弁口と、
流入側の水圧と流出側の水圧とに基づいて前記弁口の開閉度を自動設定して流出側の水圧を所定水圧に自動調整する弁体を備えたステムと、
前記ステムの一端に離接可能に当接して、ハンドルの回転操作により前記ステムを強制的に押動して前記弁体を前記弁口に着座させて弁口を閉じる締切り軸とを、
備えたことを特徴とする消火栓用弁装置。
【請求項２】
流入口と流出口とその間を連通する流路を有する弁箱に、一端に弁口を有するとともにこの弁口の弁座に対して当接離間して流路を開閉する弁体を一体的に備えたステムを移動自在に保持する弁体ガイド筒部を設け、弁体ガイド筒部の他端に流出側の水圧が導入されるシリンダ室を設け、シリンダ室に摺動自在に嵌合されたピストンを前記ステムに一体的に連結するとともに弁体を弁座から離間する方向に押圧付勢するばねを設ける一方、ステムを、弁体が弁座に当接した位置と弁座から離間した位置の間で位置決めするハンドル付きの締切り軸を弁箱に螺合させて設けたことを特徴とする消火栓用弁装置。
【請求項３】
給水管にて給水され、内部に消火ホースを内蔵している消火栓装置であって、給水管と消火ホースの間に請求項１又は２記載の消火栓用弁装置を介装したことを特徴とする消火栓装置。
【発明の詳細な説明】
【技術分野】
【０００１】
本発明は、消火栓用弁装置及びそれを用いた消火栓装置に関し、特に仕切弁と自動減圧弁を兼用した消火栓用弁装置に関するものである。
【背景技術】
【０００２】
従来の消火栓装置においては、給水管に仕切弁を介して消火ホースを接続し、消火時に消火ホースを延ばし、その先端の放水ノズルを消火地点に向け、仕切弁を開いて放水するように構成されているが、放水圧が高くなり過ぎることがあり、その場合放水ノズルを持っている人が振り回されて危険な状態になることがある。
【０００３】
そこで、仕切弁と消火ホースの間に、放水圧を自動的に所定圧に調整する自動減圧弁を介装したものが提案されている（例えば、特許文献１参照。）。
【特許文献１】特開平２−９５３８４号公報。
【発明の開示】
【発明が解決しようとする課題】
【０００４】
ところが、上記従来の消火栓装置では、仕切弁と自動減圧弁の２つの弁を配設する必要があるため、コンパクト化を図る上で支障になると共に、コスト高になるという問題がある。
【０００５】
本発明は、上記従来の問題点に鑑み、仕切弁と自動減圧弁を兼用することで、低コストの構成にて常に適正な放水圧が得られるコンパクトな消火栓用弁装置とそれを用いた消火栓装置を提供することを目的とする。
【課題を解決するための手段】
【０００６】
本発明の消火栓用装置は、流入口と流出口とを結ぶ流路の途中に設けた弁口と、流入側の水圧と流出側の水圧とに基づいて前記弁口の開閉度を自動設定して流出側の水圧を所定水圧に自動調整する弁体を備えたステムと、前記ステムの一端に離接可能に当接して、ハンドルの回転操作により前記ステムを強制的に押動して前記弁体を前記弁口に着座させて弁口を閉じる締切り軸とを、備えたことを特徴とする。本発明によれば、単一の弁装置で仕切弁機能部と自動減圧弁機能部を備えているので、単一の弁装置によって仕切弁機能と自動減圧弁機能を奏することができ、コスト低下とコンパクト化を図ることができる。
【０００７】
また、具体的な構成として、流入口と流出口とその間を連通する流路を有する弁箱に、一端に弁口を有するとともにこの弁口の弁座に対して当接離間して流路を開閉する弁体を一体的に備えたステムを移動自在に保持する弁体ガイド筒部を設け、弁体ガイド筒部の他端に流出側の水圧が導入されるシリンダ室を設け、シリンダ室に摺動自在に嵌合されたピストンを前記ステムに一体的に連結するとともに弁体を弁座から離間する方向に押圧付勢するばねを設ける一方、ステムを、弁体が弁座に当接した位置と弁座から離間した位置の間で位置決めするハンドル付きの締切り軸を弁箱に螺合させて設けたことを特徴とする。このように構成すると、締切り軸を回転させてその位置調整を行うことで弁を開閉する仕切弁機能を営ませることができ、また弁を開いた状態で流出側の水圧が高くなるとその水圧でピストンがばねの付勢力に抗して押圧され、弁体が弁座に向けて移動して流路が狭められることで流出側の水圧が低下し、逆に流出側の水圧が低くなるとピストンに作用する押圧力が低下して弁体が弁座から離間するように移動して流路が広げられることで流出側の水圧が上昇し、流出側を所定の水圧に自動的に調圧する自動減圧弁機能を営むことができる。そして流出側の水圧を前記ばねの付勢力を調整することで任意に設定調整することができ、また弁体ガイド筒部とシリンダ室を形成した弁箱に、締切り軸と弁を備えたステムとピストンとばねを同一軸芯上に配設した簡単で安価な構成にて上記両機能を営ませることができる。
【０００８】
また、本発明の消火栓装置は、給水管にて給水され、内部に消火ホースを内蔵している消火栓装置であって、給水管と消火ホースの間に上記弁装置を介装したものであり、単一の弁装置を配置した安価な構成にて常に適正な放水圧を得ることができる。
【発明の効果】
【０００９】
本発明の消火栓用弁装置によれば、単一の弁装置によって仕切弁機能と自動減圧弁機能を営むことができ、コスト低下とコンパクト化を図ることができる。
【００１０】
また、本発明の消火栓装置は、上記弁装置を用いたことにより、安価かつコンパクトな構成にて常に適正な放水圧を得ることができる。
【発明を実施するための最良の形態】
【００１１】
以下、本発明の消火栓用弁装置とそれを用いた消火栓装置の一実施形態について、図１、図２を参照して説明する。
【００１２】
図１において、１は消火栓装置、２は消防用の送水管である。送水管２から消防隊用の給水管３ａと一般人用の給水管３ｂが分岐されている。給水管３ａは消火栓装置１の筐体４内に配設された消防隊用消火栓５に接続されている。給水管３ｂは同じく筐体４内に配設された仕切弁機能と自動減圧弁機能を兼ねた消火栓用弁装置６を介して先端に放水ノズル８を有する消火ホース７に接続されている。消火ホース７は巻取りリール等によって巻回された状態で、ガイドパック９にて保持されている。
【００１３】
消火栓用弁装置６は、図２に示すように、流入口１１と流出口１２とその間を連通する流路１３を有する弁箱１０内に、上端が弁座１５を形成する弁体ガイド筒部１４が形成されている。流路１３は、流入口１１から流入側流路１３ａを通り、弁座１５の内周側に形成される弁口１３ｂを通って流出側流路１３ｃに入り、次いで流出口１２に連通している。そして、流出側通路１３ｃ内の水圧を連通路１６ａを介して、弁箱１０の下部に形成されたシリンダ室１６に導入するように構成されている。
【００１４】
１８は弁体で、弁体ガイド筒部１４の下部に設けられた支承筒部１９にて摺動自在に支持されたステム２０の上部に、弁座１５に圧接するパッキン２１を保持したパッキン受け２２をばね座金２３等を介してナット２４にて、ステム２０の上端部に形成されたねじ軸部２８に締結固定して構成されている。ステム２０の弁体ガイド筒部１４の上部に対応する部分は小径軸部２０ａとされている。また、ステム２０の下端部には小径の取付軸２０ｂが突設され、シリンダ室１６に摺動自在に嵌合するピストン２５がばね座金２６を介してナット２７にて締結固定されている。
【００１５】
弁箱１０の上部開口には蓋体２９が螺合して装着されている。この蓋体２９の軸芯に設けたねじ穴２９ａに、締切り軸３０が上下位置調整可能に螺合されている。また、締切り軸３０の下端部には前記ステム２０のねじ軸部２８の上端突出部３１が嵌入するガイド穴３２が形成されている。締切り軸３０の上端には回転操作用のハンドル３３が固着されている。蓋体２９と弁体１８のパッキン受け２２との間には、小さな付勢力で弁体１８を下方に移動付勢するコイルばね３４が介装されている。
【００１６】
弁箱１０の下部開口にはばねケース３５が上下位置調整可能に螺合して装着されている。前記ばねケース３５の底面と前記ピストン２５との間に圧縮コイルばね３９が介装されている。
【００１７】
以上の構成の消火栓用弁装置６によれば、ハンドル３３を回転操作して締切り軸３０を上方に移動させると、圧縮コイルばね３９にて上方に移動付勢されたステム２０が上方に移動し、ステム２０に設けた弁体１８のパッキン２１が弁座１５から上方へ離間移動して閉弁状態から開弁し、流入口１１から流入した水が流入側流路１３ａ、弁口１３ｂ、流出側流路１３ｃを通って流出口１２から流出する。他方、ハンドル３３を回転操作して締切り軸３０を下方に移動させると、前記ガイド穴３２の天井面がステム２０の上端突出部３１の頂面に当接し、さらに締切り軸３０を下方に移動させることにより、ステム２０の弁体１８が弁座１５に当接する。この当接時に弁体１８のパッキン２１が弁座１５に密着することにより、前記弁口１３ｂが確実に閉じられることになる。かくして、締切り軸３０を回転操作することで、弁を開閉する仕切弁機能を営ませることができる。
【００１８】
また、給水管３ｂから供給される水圧は、０.３８〜２.０ＭＰａのように広い範囲で変化することがあるが、本実施形態では上記開弁状態で、流入口１１側の水圧がこのように変化しても、次に詳細に説明する作用によって、０.３３〜０.６２ＭＰａの範囲内の任意に設定された所定の水圧に自動的に減圧して流出口１２から水を流出させる自動減圧弁機能を営ませることができる。
【００１９】
すなわち、流出側流路１３ｃの水圧が高くなると、その水圧が連通路１６ａを介してシリンダ室１６に導入され、その水圧でピストン２５が圧縮コイルばね３９の付勢力に抗して下方へ移動し、その結果ステム２０に設けた弁体１８が下方に押し下げられ、そのパッキン２１が弁座１５に向けて移動し、弁座１５部分で流路１３が狭められる。これによって流入口１１から流出口１２への流れに対する減圧率が大となり、流出側流路１３ｃの水圧が所定圧力になるように自動減圧される。
【００２０】
逆に、流出側流路１３ｃの水圧が低くなると、ピストン２５に作用する押圧力が低下し、その結果圧縮コイルばね３９の付勢力にてステム２０に設けた弁体１８が上方に押し上げられ、弁体１８のパッキン２１が弁座１５から離間移動し、弁座１５部分で流路１３が広げられる。これによって前記減圧率が小となり、流出側流路１３ｃの水圧が所定圧力になるように自動減圧される。
【００２１】
かくして、流出口１２側の水圧を所定の水圧に自動的に調圧する自動減圧弁機能を営みうるのである。また、その水圧は、ばねケース３５を回動操作して上下動させ、圧縮コイルばね３９のピストン２５に対する付勢力を調整することで任意に設定調整することができる。
【００２２】
また、上記消火栓用弁装置６を配設した消火栓装置１によれば、消火時に筐体４の前扉を開いて消火ホース７を引き出し、放水ノズル８を消火位置に向けて消火栓用弁装置６を開弁するだけで、給水管３ｂから供給される水圧が、例えば１.０〜２.０ＭＰａ程度の高圧であっても、例えば０.３３〜０.６２ＭＰａ程度に設定された所定の水圧に自動的に減圧して消火ホース７に供給される。したがって、一般人が放水ノズル８を持っても、水圧で振り回されるような恐れなしに、安全にかつ的確に消火作業を行うことができる。また、消火栓装置１に単一の弁装置６を配置しているだけで、弁の開閉を行うことができるのみならず、常に適正な放水圧を得ることができる。
【００２３】
また、本実施形態の消火栓用弁装置６の構成によれば、弁体ガイド筒部１４とシリンダ室１６を形成した弁箱１０に、仕切り軸３０と弁体１８を備えたステム２０とピストン２５と圧縮コイルばね３９を同一軸芯上に配設した簡単で安価な構成にて上記両機能を営ませることができる。
【００２４】
なお、上記実施形態の消火栓装置１では、筐体４内に消防隊用消火栓５を配設した例を示したが、必らずしも消防隊用消火栓５を筐体４内に配設する必要はない。
【図面の簡単な説明】
【００２５】
【図１】本発明の一実施形態の消火栓装置の概略構成を示す正面図である。
【図２】同実施形態の消火栓用弁装置の部分縦断正面図である。
【符号の説明】
【００２６】
１  消火栓装置
３ｂ  給水管
６  消火栓用弁装置
７  消火ホース
１０  弁箱
１１  流入口
１２  流出口
１３  流路
１３ｂ  弁口
１４  弁体ガイド筒部
１５  弁座
１６  シリンダ室
１８  弁体
２０  ステム
２５  ピストン
３０  締切り軸
３９  ばね
【図１】
2006095150.tif 000003
【図２】
2006095150.tif 000004